(57)【特許請求の範囲】
【請求項１】
外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持し、
ノズルの負荷変動を検知する検知部を設けたことを特徴とする手乾燥装置。
【請求項２】
両側のノズルの回動を等しくすることを特徴とする請求項１記載の手乾燥装置。
【請求項３】
外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持し、
ノズルの負荷変動に対し、前記ノズルの回動を制御することを特徴とする手乾燥装置。
【請求項４】
ノズルの回動を逆回転することを特徴とする請求項３記載の手乾燥装置。
【請求項５】
外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持し、
ノズルのトルクを段階的に制御することを特徴とする手乾燥装置。
【請求項６】
外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥
装置であって、前記ノズルの回動を一定速に保持し、
ノズルのトルクを段階的に制御し、その制御を一定回数トライすることを特徴とする手乾燥装置。
【請求項７】
ノズルの制御とトライする回数が上限に達したとき、前記ノズルの回動を停止することを特徴とする請求項６記載の手乾燥装置。
【請求項８】
ノズルの制御の停止時に、停止したことを表示する表示部を設けたことを特徴とする請求項３記載の手乾燥装置。
【請求項９】
ノズルの制御は、停止時に前記ノズルの送風を維持することを特徴とする請求項８記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、ノズルの回動を一定に保持するという課題がある。
【０００５】
本発明は、このような従来の課題を解決するものであり、手を乾燥させる性能のばらつきを抑制できる手乾燥装置を提供することを目的とする。
【課題を解決するための手段】
【０００６】
本発明の手乾燥装置は、上記目的を達成するために、外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持するものである。
【０００７】
また、他の手段は、両側のノズルの回動を等しくするものである。
【０００８】
また、他の手段は、ノズルの負荷変動を検知する検知部を設けたものである。
【０００９】
また、他の手段は、ノズルの負荷変動に対し、前記ノズルの回動を制御するものである。
【００１０】
また、他の手段は、ノズルの回動を逆回転するものである。
【００１１】
また、他の手段は、ノズルのトルクを段階的に制御するものである。
【００１２】
また、他の手段は、ノズルのトルクを段階的に制御し、その制御を一定回数トライするものである。
【００１３】
また、他の手段は、ノズルの制御とトライする回数が上限に達したとき、前記ノズルの回動を停止するものである。
【００１４】
また、他の手段は、ノズルの制御の停止時に、前記本体に停止したものである。
【００１５】
また、他の手段は、ノズルの制御は、停止時に前記ノズルの送風を維持するものである。
【発明の効果】
【００１６】
本発明によれば、外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持することにより、手を乾燥させる性能のばらつきを抑制できるという効果のある手乾燥装置を提供することができる。  
【００１７】
また、両側のノズルの回動を等しくすることにより、手を乾燥させる性能のばらつきを抑制できるとともに、低騒音化することができるという効果のある手乾燥装置を提供することができる。      
【００１８】
また、ノズルの負荷変動を検知する検知部を設けたことにより、ノズルへの埃および皮脂の付着の状態を検知することができるので、手を乾燥させる性能のばらつきを抑制できるとともに、低騒音化することができるという効果のある手乾燥装置を提供することができる。    
【００１９】
また、ノズルの負荷変動に対し、前記ノズルの回動を制御することにより、ノズルへの埃および皮脂の付着の状態を検知し負荷が変動する場合は、ノズルのトルクを調整することができるので、手を乾燥させる性能のばらつきを抑制できるとともに、低騒音化することができるという効果のある手乾燥装置を提供することができる。        
【００２０】
また、ノズルの回動を逆回転することにより、ノズルへの埃および皮脂の付着を逆回転によって吹き飛ばすので、手を乾燥させる性能のばらつきを抑制できるとともに、低騒音化することができるという効果のある手乾燥装置を提供することができる。            
【００２１】
また、ノズルのトルクを段階的に制御することにより、トルクをきめ細かく段階的に制御するので、異常振動や異常音を発生させることなく、回動を調整でき、手を乾燥させる性能のばらつきを抑制できるという効果のある手乾燥装置を提供することができる。
【００２２】
また、ノズルのトルクを段階的に制御し、その制御を一定回数トライすることにより、トルクをきめ細かくスムーズに段階的に制御するので、異常振動や異常音を発生させることなく、回動を調整でき、手を乾燥させる性能のばらつきを抑制できるという効果のある手乾燥装置を提供することができる。    
【００２３】
また、ノズルの制御とトライする回数が上限に達したとき、前記ノズルの回動を停止することにより、本来の性能を維持しつつ、手を乾燥させる性能のばらつきを抑制できるという効果のある手乾燥装置を提供することができる。            
【００２４】
また、ノズルの制御の停止時に、前記本体に停止したことを表示する表示部を設けたことにより、ノズルのメンテナンスを知らせることができるので、手を乾燥させる性能のばらつきを抑制できるという効果のある手乾燥装置を提供することができる。            
【００２５】
また、ノズルの制御は、停止時に前記ノズルの送風を維持することにより、ノズルが停止しても、最低限の手を乾燥させる性能のばらつきを抑制させることができるという効果のある手乾燥装置を提供することができる。
【図面の簡単な説明】
【００２６】
【図１】本発明の実施の形態１の手乾燥装置の斜視図
【図２】同手乾燥装置のノズル付近を示す斜視図
【図３】同手乾燥装置のノズル付近を示す上面構成図
【図４】同手乾燥装置の上面構成図
【図５】同手乾燥装置の内部の制御関連を示す構成図
【図６】同手乾燥装置のノズルの制御を示す図
【発明を実施するための形態】
【００２７】
本発明に係る手乾燥装置は、外気を取り入れる吸込口と、前記吸込口から取り込んだ空気を高圧気流発生装置まで案内する風路で構成された吸込風路と、前記高圧気流発生装置により昇圧された空気を両側のノズルまで案内する風路で構成された吹出風路を備え、複数の前記ノズルを間隔をおいて配列し、前記ノズルから噴出される噴流がモータによって自励振動するようにした手乾燥装置であって、前記ノズルの回動を一定速に保持することとしたものであり、ノズルの回動すなわち横に往復させる速度を一定に保持し、ノズルから出る噴流で手に付いた水滴を吹き飛ばすという作用を有する。
【００２８】
また、両側のノズルの回動を等しくすることとしたものであり、相対するノズルの回動すなわち横に往復させる速度を一定に保持し、ノズルから出る噴流で手に付いた水滴を吹き飛ばすという作用を有する。                    
【００２９】
また、ノズルの負荷変動を検知する検知部を設けたこととしたものであり、ノズルの負荷変動を検知する検知部を設けるという作用を有する。
【００３０】
また、ノズルの負荷変動に対し、前記ノズルの回動を制御することとしたものであり、検知部であるモータの電圧と回転数を検知し、検知したものをマイコンにフィードバックし、補正しモータ出力することにより、ノズルの回動を一定にするという作用を有する。
【００３１】
また、ノズルの回動を逆回転することとしたものであり、モータを逆回転することにより、ノズルの回動を逆転するという作用を有する。
【００３２】
また、ノズルのトルクを段階的に制御することとしたものであり、ノズルのトルクを段階的に制御し、ノズルの回動を早くしたり遅くしたりするという作用を有する。
【００３３】
また、ノズルのトルクを段階的に制御し、その制御を一定回数トライすることとしたものであり、ノズルのトルクを段階的に制御し、ノズルの回動を早くしたり遅くしたりする回数をある回数トライするという作用を有する。
【００３４】
また、ノズルの制御とトライする回数が上限に達したとき、前記ノズルの回動を停止することとしたものであり、ノズルのトルクを段階的に制御し、ノズルの回動を早くしたり遅くしたりする回数を制御ができないところになったら停止するという作用を有する。
【００３５】
また、ノズルの制御の停止時に、前記本体に停止したことを表示する表示部を設けたこととしたものであり、ノズルの制御の停止時に、本体に停止したことを表示する表示部を設けて、使用者に知らせるという作用を有する。
【００３６】
また、ノズルの制御は、停止時に前記ノズルの送風を維持することとしたものであり、ノズルの制御を、停止させた時にもノズルの送風はそのまま維持するという作用を有する。
【００３７】
以下、本発明の実施の形態について、図面を参照しながら説明する。
【００３８】
（実施の形態１）                    
図１〜図６に示すように、外気を取り入れる吸込口１と、吸込口１から取り込んだ空気２を高圧気流発生装置３まで案内する風路で構成された吸込風路４と、高圧気流発生装置３により昇圧された空気を両側のノズル５まで案内する風路で構成された吹出風路６を備え、複数のノズルを間隔７をおいて配列し、ノズル５から噴出される噴流がモータ１５によって自励振動するようにした手乾燥装置であって、ノズル５の回動を一定速に保持する構成とする。            
【００３９】
上記構成により、ノズル５の回動すなわち横に往復させる速度を一定に保持し、ノズル５から出る噴流で手９に付いた水滴を吹き飛ばす。  
【００４０】
このように、手を乾燥させる性能のばらつきを抑制できることとなる。
【００４１】
また、両側のノズル５の回動を等しくする構成とする。
【００４２】
上記構成により、相対するノズル５の回動すなわち横に往復８させる速度を一定に保持し、ノズル５から出る噴流で手９に付いた水滴を吹き飛ばす。          
【００４３】
このように、手を乾燥させる性能のばらつきを抑制できるとともに、低騒音化することができることとなる。
【００４４】
また、ノズル５の負荷変動を検知する検知部１０を設けた構成とする。        
【００４５】
上記構成により、ノズル５の負荷変動を検知する検知部１０を設ける。        
【００４６】
このように、ノズルへの埃および皮脂の付着の状態を検知することができるので、手を乾燥させる性能のばらつきを抑制できるとともに、低騒音化することができることとなる。
【００４７】
また、ノズル５の負荷変動に対し、ノズル５の回動を制御する構成とする。
【００４８】
上記構成により、検知部であるモータ１５の電圧と回転数を検知し、検知したものをマイコン１１にフィードバックし、補正しモータ１５に出力することにより、ノズル５の回動を一定にする。
【００４９】
このように、ノズルへの埃および皮脂の付着の状態を検知し負荷が変動する場合は、ノズルのトルクを調整することができるので、手を乾燥させる性能のばらつきを抑制できるとともに、低騒音化することができることとなる。            
【００５０】
また、ノズル５の回動を逆回転１２する構成とする。
【００５１】
上記構成により、モータ１５を逆回転することにより、ノズル５の回動を逆転する。
【００５２】
このように、ノズルへの埃および皮脂の付着を逆回転によって吹き飛ばすので、手を乾燥させる性能のばらつきを抑制できるとともに、低騒音化することができることとなる。
【００５３】
また、ノズル５のトルクを段階的に制御する構成とする。
【００５４】
上記構成により、ノズル５のトルクを段階的に制御し、ノズル５の回動を早くしたり遅くしたりする。          
【００５５】
このように、トルクをきめ細かく段階的に制御するので、異常振動や異常音を発生させることなく、回動を調整でき、手を乾燥させる性能のばらつきを抑制できることとなる。
【００５６】
また、ノズル５のトルクを段階的に制御し、その制御を一定回数トライする構成とする。
【００５７】
上記構成により、ノズル５のトルクを段階的に制御し、ノズル５の回動を早くしたり遅くしたりする回数をある回数トライする。    
【００５８】
このように、トルクをきめ細かくスムーズに段階的に制御するので、異常振動や異常音を発生させることなく、回動を調整でき、手を乾燥させる性能のばらつきを抑制できることとなる。
【００５９】
また、ノズル５の制御とトライする回数が上限に達したとき、ノズル５の回動を停止する構成とする。
【００６０】
上記構成により、ノズル５のトルクを段階的に制御し、ノズル５の回動を早くしたり遅くしたりする回数を制御ができないところになったら停止する。
【００６１】
このように、本来の性能を維持しつつ、手を乾燥させる性能のばらつきを抑制できることとなる。
【００６２】
また、ノズル５の制御の停止時に、本体１３に停止したことを表示する表示部１４を設けた構成とする。      
【００６３】
上記構成により、ノズル５の制御の停止時に、本体１３に停止したことを表示する表示部１４を設けて、使用者に知らせる。            
【００６４】
このように、ノズルのメンテナンスを知らせることができるので、手を乾燥させる性能のばらつきを抑制できることとなる。
【００６５】
また、ノズル５の制御は、停止時にノズル５の送風を維持する構成とする。
【００６６】
上記構成により、ノズル５の制御を、停止させた時にもノズル５の送風はそのまま維持する。
【００６７】
このように、ノズルが停止しても、最低限の手を乾燥させる性能のばらつきを抑制させることができることとなる。
【産業上の利用可能性】
【００６８】
本発明の手乾燥装置は、レストランやホテルなどの洗面所やトイレに設置され、また病院や手術室や調理場においても適用される。
【符号の説明】
【００６９】
１    吸込口
２    空気
３    高圧気流発生装置
４    吸込風路
５    ノズル
６    吹出風路
７    間隔
８    往復
９    手
１０  検知部
１１  マイコン
１２  逆回転
１３  本体
１４  表示部
１５  モータ
【図１】
0005585014.tif 000002
【図２】
0005585014.tif 000003
【図３】
0005585014.tif 000004
【図４】
0005585014.tif 000005
【図５】
0005585014.tif 000006
【図６】
0005585014.tif 000007